(57)【特許請求の範囲】
【請求項１】
記憶部を備える履歴判定装置であって、
申請者に関する申請者情報と前記申請者の警備種別を取得し、前記履歴判定装置とは異なるサーバから前記申請者情報に対応する履歴情報を取得し、前記記憶部から前記警備種別に対応する種別所定情報を取得する取得部と、
前記サーバから取得した前記履歴情報が前記種別所定情報及び前科情報を有するか否かを判定する判定部と、
前記判定部による判定結果を表示部に表示させる表示制御部と、
を有し、
前記サーバは前記申請者情報及び前記警備種別の取得元とは異なる、
履歴判定装置。
【請求項２】
前記取得部は、前記申請者が操作するコンピュータから送信された前記申請者情報及び前記申請者の警備種別を取得する、
請求項１に記載の履歴判定装置。
【請求項３】
前記取得部は、前記申請者の就業形態をさらに取得し、前記警備種別と前記就業形態とに対応する前記種別所定情報を前記記憶部から取得し、
前記種別所定情報は違反回数を含み、
取得される前記種別所定情報が含む前記違反回数は、前記就業形態に応じて異なり、
前記判定部は、前記履歴情報が前記違反回数以上の違反回数を含む場合、前記履歴情報が前記種別所定情報を有すると判定する、
請求項１または２に記載の履歴判定装置。
【請求項４】
前記表示制御部は、前記違反回数以上の違反回数を含むと判定された前記履歴情報を、前記判定結果とともに、前記違反回数以上の違反回数を含むと判定されなかった前記履歴情報とは異なる形式で前記表示部に表示させる
請求項１から３のいずれかに記載の履歴判定装置。
【請求項５】
記憶部を備える履歴判定装置において、
申請者に関する申請者情報と前記申請者の警備種別を取得し、
前記履歴判定装置、並びに前記申請者情報及び前記警備種別の取得元とは異なるサーバから前記申請者情報に対応する履歴情報を取得し、
前記記憶部から前記警備種別に対応する種別所定情報を取得し、
前記サーバから取得した前記履歴情報が前記種別所定情報及び前科情報を有するか否かを判定し、
判定結果を表示部に表示させる、履歴判定方法。
【請求項６】
記憶部を備える履歴判定装置を構成するコンピュータに、
申請者に関する申請者情報と前記申請者の警備種別を取得し、前記履歴判定装置、並びに前記申請者情報及び前記警備種別の取得元とは異なるサーバから前記申請者情報に対応する履歴情報を取得し、前記記憶部から前記警備種別に対応する種別所定情報を取得する取得処理と、
前記サーバから取得した前記履歴情報が前記種別所定情報及び前科情報を有するか否かを判定する判定処理と、
前記判定処理による判定結果を表示部に表示させる表示制御処理と、
を実行させる履歴判定プログラム。
【発明の詳細な説明】
【技術分野】
【０００１】
本発明は、申請者の履歴を判定する履歴判定システム、履歴判定方法、履歴判定プログラム、履歴判定プログラムを記憶する記憶媒体に関する。
【背景技術】
【０００２】
大規模なイベント等の発生時には多くの人が一地域に集まるため、施設や人を危険から守るために、警備を強化する必要がある。そのため、警備会社等は、イベント等の発生日に合わせて警備員を新たに採用することがある。しかし、警備は施設や人の安全に関わる業務であるため、採用者は、警備員を希望する者の履歴を確認する必要がある。
【０００３】
ここで、警備に関するシステムの一例について説明する。特許文献１には、警備区画内の全領域の撮像を行い、監視対象物体の数をカウントするシステムが記載されている。同システムは、これとほぼ同じタイミングで、警備区画内の入場者が有する携帯端末から識別情報を受信し、携帯端末の数をカウントする。そして、同システムは、監視対象物体の数が携帯端末の数よりも多い場合には、警報を発令する等の警備異常時対処処理を発動する。
【０００４】
次に、人材採用に関するシステムの一例について説明する。特許文献２には、採用を希望する人材の条件に合致する社員（優秀社員）の情報を抽出し、抽出した社員の中の最上位の社員と最下位の社員についての適性検査の結果を抽出するシステムが記載されている。同システムはさらに、抽出された適性検査の結果と採用予定者の適性検査の結果とを、比較可能なように表示する。
【０００５】
次に、防犯に関するシステムの一例について説明する。特許文献３には、電磁波により生体を検出し、検出した生体が不審者であるか否かを判定する防犯システムが記載されている。同システムは、同一人が所定距離以内にいる時間をカウントし、所定時間以上になった場合に不審者と判定する。
【先行技術文献】
【特許文献】
【０００６】
【特許文献１】特開２００５−２９２９４２号
【特許文献２】特開２００６−１２７３８７号
【特許文献３】特開２００８−２０４２２０号
【発明の概要】
【発明が解決しようとする課題】
【０００７】
しかしながら、上述したシステムは申請者（警備員希望者）以外から履歴情報を取得していないため、申請者以外から取得される履歴情報を判定することができないという問題点があった。そこで、本発明の目的は、申請者以外から取得される履歴情報を判定することができないとの課題を解決する履歴情報判定システムを提供することにある。
【課題を解決するための手段】
【０００８】
本発明の第一のシステムは、申請者に関する申請者情報と前記申請者の警備種別を取得し、前記申請者情報に対応する履歴情報と、前記警備種別に対応する種別所定情報を記憶部から取得する取得部と、前記履歴情報が前記種別所定情報を有するか否かを判定し、前記履歴情報が前科情報を有するか否かを判定する判定部と、前記判定部による判定結果を表示部に表示させる表示制御部と、を有する。
【発明の効果】
【０００９】
本発明によれば、申請者以外から取得される履歴情報を判定することができる履歴判定システムを提供することができる。
【図面の簡単な説明】
【００１０】
【図１】第一実施形態の構成例を示すブロック図である。
【図２】取得部１０が取得するデータの一例である。
【図３】記憶部１５が記憶するデータの一例である。
【図４】記憶部２０が記憶するデータの一例である。
【図５】表示部３０による表示の一例である。
【図６】表示部３０による表示の一例である。
【図７】第一実施形態の動作を説明するシークエンス図である。
【図８】第二実施形態の構成例を示すブロック図である。
【図９】記憶部１５が記憶するデータの一例である。
【図１０】記憶部２０が記憶するデータの一例である。
【図１１】表示部３０による表示の一例である。
【図１２】第二実施形態の動作を説明するシークエンス図である。
【図１３】第三実施形態の構成例を示すブロック図である。
【図１４】ハードウェア構成の一例である。
【図１５】ハードウェア構成の一例である。
【図１６】ハードウェア構成の一例である。
【図１７】ハードウェア構成の一例である。
【発明を実施するための形態】
【００１１】
以下に、図面を参照して、本発明の実施形態について詳しく説明する。ただし、以下の実施形態に記載されている構成要素は例示であり、本発明の技術範囲をそれらに限定する趣旨のものではない。
【００１２】
本発明の実施形態では、警備員の採用を業務とする採用担当者等が、警備員業務への従事を申請した者、すなわち申請者が提出した情報に基づき、申請者の採用の可否を検討する場面を想定する。警備員の就業形態は何でも良く、正社員、アルバイト、ボランティア等が行う業務も警備員業務に含まれる。また、警備員には、警備に関する資格を有していない者を含んでも良い。
（第一実施形態）
（第一実施形態の構成）
第一実施形態の構成例について説明する。図１は、履歴判定システム１０００の構成例を示した図である。履歴判定システム１０００は、採用者端末１００と、サーバ２００と、ディスプレイ３００を備える。採用者端末１００とサーバ２００は無線又は有線によって通信可能に接続している。また、採用者端末１００とディスプレイ３００も、無線又は有線によって通信可能に接続している。警備員の採用担当者等は、採用者端末１００が処理した情報がディスプレイ３００に表示されるのを見て、申請者の採用可否を検討しても良い。
【００１３】
採用者端末１００は、取得部１０、判定部１１、受信部１２、送信部１３、表示制御部１４、記憶部１５を有する。
【００１４】
受信部１２は、申請者に関する申請者情報と、申請者の警備種別と、申請者の就業形態を受信する。これらの情報は、申請者自らが外部のコンピュータ等を用いて送信した情報でもよい。または、これらの情報は、申請者が提出した情報に基づいて、警備員の採用を仲介する者等がコンピュータ等を用いて送信した情報でもよい。
【００１５】
ここで、申請者情報とは、申請者に関する情報であれば何でも良い。しかし、申請者情報は、後述する記憶部２０が履歴情報に対応付けて記憶する情報を含むことが好ましい。申請者情報は例えば、申請者の氏名、住所、生年月日、性別、年齢、本籍、職業、生体情報、個人番号（マイナンバー）等の個人を特定できる情報で良い。
【００１６】
また、警備種別とは、警備業務をその内容から複数に分類したときの各業務のことをいう。例えば警備種別は、施設警備、雑踏警備、輸送警備、身辺警備等で良い。施設警備とは、施設で発生する事故等を警戒・防止する業務である。雑踏警備とは、人や車で混雑する場所で交通誘導を行い、事故等の発生を警戒・防止する業務である。輸送警備とは、現金、貴金属、美術品、核燃料物質などを運搬する際に、盗難等の発生を警戒・防止する業務である。身辺警備とは、ボディーガードともいわれ、人に対する危害の発生を警戒・防止する業務である。
【００１７】
就業形態とは、就業における区分を表したものである。就業形態は、例えば、正社員、契約社員、派遣社員、嘱託社員、出向社員等でよい。また、就業形態には、有償または無償のボランティアが含まれても良い。警備員を採用する法人等と、警備員との間の雇用関係の有無は問わない。受信部１２が受信する警備種別および就業形態は、後述する記憶部１５が種別所定情報に対応付けて記憶する情報を含むことが好ましい。
【００１８】
取得部１０は、受信部１２が受信した申請者情報、警備種別、就業形態を取得する。取得部１０が取得するデータの一例を図２に示す。図２の例では、氏名、住所、生年月日、性別を含む申請者情報と、申請者が就業を希望する警備種別と、申請者が希望する就業形態とを取得部１０は取得する。図２より、申請者の氏名は「日電  太郎」、住所は「東京都港区芝５丁目」、生年月日は「１９８９年４月１日」、性別は「男」である。また、警備種別は「輸送警備」、就業形態は「派遣社員」である。
【００１９】
そして、取得部１０は、取得した警備種別と就業形態とに対応する種別所定情報を記憶部１５から取得する。取得部１０による種別所定情報の取得の詳細については後述する。
【００２０】
また、取得部１０は、取得した申請者情報に対応する履歴情報を、サーバ２００内の記憶部２０から取得する。このとき取得部１０は、送信部１２を介してサーバ２００に申請者情報に対応する履歴情報を送信する旨の要求を送信する。サーバ２００内の制御部２１は、申請者情報に対応する履歴情報を記憶部２０から読み出し、読み出した履歴情報を送信部２３を介して採用者端末１００に送信する。取得部１０による履歴情報の取得の詳細については後述する。
【００２１】
送信部１３は、取得部１０からの要求をサーバ２００に送信する。受信部１２は、サーバ２００からの応答を受信する。
【００２２】
記憶部１５は、警備種別および就業形態に対応付けて種別所定情報を記憶する。ここで、種別所定情報とは、警備員としての信頼性に関わる情報であり、警備種別ごとに予め定められた情報である。種別所定情報は例えば、警備員として就業する者の履歴情報に含まれることが好ましくない情報である。履歴とは、人が現在までに経てきた次第であり、法律等の違反歴、犯罪歴、職歴、学歴等で良い。履歴情報は、履歴を示す情報でよい。また、本実施形態の記憶部１５が記憶する種別所定情報は、違反回数を含む。違反とは、条約、法令、条例、協定、契約等にそむくことである。つまり、本実施形態の種別所定情報は、警備員として就業する者の履歴情報に含まれることが好ましくない情報として、条約、法令、条例、協定、契約等の違反回数を含む。
【００２３】
さらに、種別所定情報が含む違反回数は、当該種別所定情報に対応する就業形態に応じて異なる。一般に、正社員には責任の大きい業務が任され、アルバイト等にはより責任の小さい業務が任されることが多い。したがって、正社員であれば一度も法令等に違反していないことが求められるが、アルバイトであれば数回の違反は許容される場合がある。そのため、本実施形態の種別所定情報は違反回数を含み、その違反回数は対応する就業形態に応じて異なるものである。
【００２４】
種別所定情報が含む違反回数は、当該種別所定情報に対応する就業形態の裁量の大きさ、給与や報酬の高さ、就業期間の長さ、業務の難易度等に応じて異なっても良い。例えば、就業形態の裁量が大きいほど、種別所定情報が含む違反回数が多くても良い。就業形態の給与や報酬が高いほど、種別所定情報が含む違反回数が多くても良い。しかし、各就業形態に対応する種別所定情報が含む違反回数は、全て異なるものである必要はない。つまり、異なる就業形態に対応する種別所定情報同士が同一の違反回数を含んでいても良い。
【００２５】
記憶部１５が記憶する種別所定情報は、違反事項と違反回数を含んでも良い。違反事項とは、条約、法令、条例、協定、契約等にそむく行為や行動を表したものでよい。違反事項は、例えば道路交通法であれば、速度超過、信号無視、車間距離不保持、無免許運転等でよい。また、違反事項は、迷惑防止条例であれば、粗暴行為、つきまとい行為、押売り行為等でよい。
【００２６】
記憶部１５が記憶するデータの一例を図３に示す。図３では、警備種別「輸送警備」に、就業形態「正社員」、「派遣社員」が対応付いている。また、「正社員」には、道路交通法違反として種別所定情報「速度超過／２回」が対応付いている。「派遣社員」には、道路交通法違反として種別所定情報「速度超過／３回」が対応付いている。
【００２７】
同様に、図３では、警備種別「雑踏警備」に、就業形態「派遣社員」、「アルバイト」、「ボランティア」が対応付いている。「派遣社員」には、迷惑防止条例違反として種別所定情報「粗暴行為／１回」が対応付いている。「アルバイト」および「ボランティア」には、迷惑防止条例違反として種別所定情報「粗暴行為／２回」がそれぞれ対応付いている。なお、記憶部１５は、図３に示される道路交通法違反、迷惑防止条例違反といった法律等の名称を記憶しなくても良い。
【００２８】
取得部１０は、警備種別「輸送警備」および就業形態「派遣社員」を取得した場合、これらに対応する種別所定情報「速度超過／３回」を記憶部１５から取得する。
【００２９】
サーバ２００内の記憶部２０は、違反者情報に対応付けて履歴情報を記憶する。違反者情報とは、条約、法令、条例、協定、契約等を違反した者に関する情報であれば何でも良い。違反者情報は例えば、違反者の氏名、住所、生年月日、性別、年齢、本籍、職業、生体情報等で良い。また、本実施形態では、履歴情報は前科情報、違反情報を含む。違反情報とは、違反者による法令・条例等の違反の内容を示す情報である。違反情報は、違反事項および違反回数を含んでも良い。
【００３０】
前科情報とは、違反者の前科の内容を示す情報である。前科とは、法を犯して刑罰を受けたことをいう。前科情報に含まれる情報は、違反情報と重複する場合がある。違反情報は、前科情報と重複する情報を除いたものでも良い。また、前科情報には、不起訴となった事件に関する情報を含めても良い。
【００３１】
記憶部２０が記憶するデータの一例を図４に示す。図４より、記憶部２０は、氏名「日電  太郎」、住所「東京都港区芝５丁目」、生年月日「１９８９年４月１日」、性別「男」を含む違反者情報に対応付けて、違反事項／回数「速度超過／２回」を含む履歴情報を記憶している。また、記憶部２０は、氏名「電気  二郎」、住所「東京都世田谷区大原３丁目」、生年月日「１９７５年１０月６日」、性別「男」を含む違反情報に対応付けて、違反事項／回数「窃盗／２回」、前科／回数「窃盗罪／１回」を含む履歴情報を記憶している。さらに、記憶部２０は、氏名「日本  花子」、住所「千葉県松戸市六実１丁目」、生年月日「１９８０年５月５日」、性別「女」を含む違反者情報に対応付けて、違反事項／回数「信号無視／１回」を含む履歴情報を記憶している。
【００３２】
制御部２１は、採用者端末１００からの要求に応じて記憶部２０から情報を読み出し、要求に対する応答として、読み出した情報を採用者端末１００に送信する。受信部２２は、採用者端末１００からの要求を受信する。送信部２３は、サーバ２００からの応答を採用者端末１００に送信する。
【００３３】
例えば採用者端末１００内の取得部１０は、氏名「日電太郎」、住所「東京都港区芝５丁目」、生年月日「１９８９年４月１日」、性別「男」を含む申請者情報を取得した場合、当該申請者情報に対応する履歴情報の送信を求める要求を、送信部１３に送信させる。なお、取得部１０が取得する申請者情報は、上述の通り申請者に関する情報であれば何でも良い。取得部１０は、氏名、住所、生年月日、性別の少なくともいずれか一つを取得しても良い。  サーバ２００内の制御部２１は、採用者端末１００からの要求を取得すると、氏名「日電  太郎」、住所「東京都港区芝５丁目」、生年月日「１９８９年４月１日」、性別「男」を含む申請者情報に一致する違反者情報がないか、記憶部２０内のデータを検索する。図４に示すデータより、氏名、住所、生年月日、性別が申請者情報に一致する違反者情報を記憶部２０は記憶している。そのため、制御部２１は、氏名「日電  太郎」、住所「東京都港区芝５丁目」、生年月日「１９８９年４月１日」、性別「男」を含む違反者情報に対応する違反情報として、違反事項／回数「速度超過／２回」を含む履歴情報を取得する。制御部２１は、取得した履歴情報を送信部２３を介して採用者端末１００に送信する。
【００３４】
なお、制御部２０は、申請者情報と完全に一致する違反者情報以外を検索しても良い。例えば、氏名、住所、生年月日、性別のうち、少なくとも所定数の項目について一致する違反者情報を検索してもよい。また、制御部２０は、あいまい検索の手法を用いて違反者情報を検索しても良い。あいまい検索では、表記ゆれによる文字の違い等も加味して検索を行っても良い。
【００３５】
採用者端末１００内の判定部１１は、サーバ２００から送信された履歴情報と、取得部１０が取得した種別所定情報を取得する。そして、判定部１１は、履歴情報が種別所定情報を有するか否かを判定する。このとき判定部１１は、種別所定情報が含む違反回数以上の違反回数を履歴情報が含む場合、前記履歴情報が前記種別所定情報を有すると判定する。
【００３６】
例えば判定部１１は、履歴情報として「速度超過／２回」と、種別所定情報として「速度超過／３回」を取得する。そして判定部１１は、履歴情報が含む速度超過の違反回数である「２回」が、種別所定情報が含む速度超過の違反回数である「３回」以上ではないと判定する。したがって、判定部１１は、履歴情報が種別所定情報を有していないと判定する。
【００３７】
さらに判定部１１は、サーバ２００から送信された履歴情報が前科情報を有するか否かを判定する。上述の例の場合、図４に示される通り、違反者情報「日電  太郎」等に対応する履歴情報は記憶されていない。そのため、判定部１１は、履歴情報が前科情報を有しないと判定する。一方、申請者情報が図４に示す「電気  二郎」等である場合、当該申請者情報には前科情報として「窃盗罪／１回」が対応付いているため、判定部１１は、履歴情報が前科情報を有すると判定する。
【００３８】
判定部１１は、履歴情報が種別所定情報を有しているか否か、および履歴情報が前科情報を有しているか否かについての判定結果を表示制御部１４に送信する。
【００３９】
表示制御部１４は、判定部１１による判定結果をディスプレイ３００内の表示部３０に表示させる。このとき表示制御部１４は、判定結果とともに申請者情報、違反者情報、警備種別、就業形態、履歴情報の少なくともいずれか一つを表示部３０に表示させても良い。表示制御部１４は、これらの情報を取得部１０から取得しても良いし、判定部１１から取得しても良い。
【００４０】
表示部３０による表示の一例を図５および図６に示す。図５に示される例は、履歴情報が種別所定情報および前科情報を共に有していないと判定された場合の表示である。表示部３０を実現するディスプレイ３００は、「判定結果：問題なし」とのメッセージとともに、申請者情報、警備種別、就業形態を表示している。図６に示される例は、履歴情報が種別所定情報を有しておらず、かつ前科情報を有すると判定された場合の表示である。ディスプレイ３００は、「判定結果：問題あり」とのメッセージと共に、申請者情報、警備種別、就業形態および履歴情報「窃盗罪／１回」を表示している。
【００４１】
なお、判定結果に応じて表示されるメッセージおよび表示の形式は上述のものに限られない。当該メッセージは、判定結果に対応付けて記憶部１５が予め記憶していても良い。表示制御部１４は、判定部１１から受け取った判定結果に対応するメッセージを記憶部１５から読み出し、読み出したメッセージを、判定結果として表示部３０に表示させても良い。
（第一実施形態の動作）
次に、履歴判定システム１０００の動作について説明する。図７は、履歴判定システム１０００の動作を説明するシークエンス図である。
【００４２】
まず、取得部１０は、受信部１２が受信した申請者に関する申請者情報と、申請者の警備種別と、申請者の就業形態を取得する（Ｓ１）。これらの情報は、申請者自らがコンピュータ等の情報処理装置を用いて送信した情報でもよい。または、これらの情報は、警備員採用を仲介する者等が、コンピュータ等の情報処理装置を用いて送信した情報でもよい。
【００４３】
なお、受信部１２は、採用者端末１００が起動している間に逐次申請者情報等を受信してもよい。または、受信部１２は、採用者端末１００のユーザが特定のアプリケーションを起動した後に、申請者情報等を受信しても良い。
【００４４】
次に、取得部１０は、取得した警備種別と就業形態とに対応する種別所定情報を記憶部１５から取得する（Ｓ２）。記憶部１５は、警備種別と就業形態とに対応付けて種別所定情報を記憶している。記憶部１５が記憶する種別所定情報は、違反回数を含む。さらに、種別所定情報が含む違反回数は、当該種別所定情報に対応する就業形態に応じて異なる。
【００４５】
種別所定情報が含む違反回数は、当該種別所定情報に対応する就業形態の裁量の大きさ、給与や報酬の高さ、就業期間の長さ、業務の難易度等に応じて行っても良い。例えば、就業形態の裁量が大きいほど、種別所定情報が含む違反回数が多くても良い。就業形態の給与や報酬が高いほど、種別所定情報が含む違反回数が多くても良い。しかし、種別所定情報が含む違反回数は、全ての就業形態について異なる必要はない。つまり、異なる就業形態に対応する種別所定情報どうしが同一の違反回数を含んでいても良い。
【００４６】
また、取得部１０は、サーバ２００に対して申請者情報とリクエストを送信する（Ｓ３）。リクエストは、申請者情報に対応する履歴情報を採用者端末１００に送信することを求めるメッセージで良く、任意のプロトコルに従って生成される。メッセージは、返送されるデータの形式やデータ圧縮の方法等の情報を含んでも良い。
【００４７】
サーバ２００は、採用者端末１００から受信したリクエストに応答する。つまり、サーバ２００内の制御部２０は、採用者端末１００から送信された申請者情報に対応する履歴情報を記憶部２０から取得し、採用者端末１００に送信する（Ｓ４）。このとき制御部２０は、受信した申請者情報に一致する違反者情報を記憶部２０から検索する。そして制御部２０は、当該違反者情報に対応づけられた履歴情報を、送信部２３を介して採用者端末１００に送信する。
【００４８】
制御部２０は、申請者情報と完全に一致する違反者情報以外を検索しても良い。例えば、氏名、住所、生年月日、性別のうち少なくとも所定数の項目について一致する違反者情報を検索してもよい。制御部２０は、あいまい検索の手法を用いて違反者情報を検索しても良い。あいまい検索では、表記ゆれとされる文字の違い等も加味して検索を行っても良い。
【００４９】
採用者端末１００内の取得部１０は、受信部１２が受信した履歴情報を取得する（Ｓ５）。なお、取得部１０は、履歴情報を取得してから種別所定情報を取得しても良い。又は、取得部１０は、履歴情報と種別所定情報とを同時に取得しても良い。
【００５０】
採用者端末１００内の判定部１１は、サーバ２００から送信された履歴情報と、取得部１０が取得した種別所定情報を取得する。そして、判定部１１は、履歴情報が種別所定情報を有するか否かを判定する（Ｓ６）。このとき判定部１１は、種別所定情報が含む違反回数以上の違反回数を履歴情報が含む場合、前記履歴情報が前記種別所定情報を有すると判定する。
【００５１】
さらに判定部１１は、サーバ２００から送信された履歴情報が前科情報を有するか否かを判定する（Ｓ７）。なお、判定部１１は、履歴情報が前科情報を有するか否かを判定した後に、履歴情報が種別所定情報を有するか否かを判定しても良い。また、判定部１１は、これらの判定を同時に行っても良い。
【００５２】
判定部１１は、履歴情報が種別所定情報を有しているか否か、および履歴情報が前科情報を有しているか否かについての判定結果を表示制御部１４に送信する。表示制御部１４は、判定部１１による判定結果をディスプレイ３００内の表示部３０に表示させる（Ｓ８）。このとき表示制御部１４は、判定結果とともに申請者情報、違反者情報、警備種別、就業形態、履歴情報の少なくともいずれか一つを表示部３０に表示させても良い。表示制御部１４は、これらの情報を取得部１０から取得しても良いし、判定部１１から取得しても良い。
【００５３】
判定結果に応じて表示されるメッセージは、判定結果に対応付けて記憶部１５が予め記憶していても良い。表示制御部１４は、判定部１１から受け取った判定結果に対応するメッセージを記憶部１５から読み出し、読み出したメッセージを、判定結果として表示部３０に表示させても良い。
【００５４】
本実施形態の履歴判定システム１０００は、就業形態に対応する種別所定情報に基づいて判定を行うことができる。これにより、履歴判定システム１０００は、求められる信頼性や、任される業務の責任の大きさが就業形態によって異なる場合にも、就業形態に応じた度合で申請者の履歴を判定することができる。
【００５５】
なお、取得部１０は、申請者情報、警備種別、就業形態を受信部１２から取得しなくても良い。例えば取得部１０は、これらの情報を記憶部１５から取得しても良い。つまり申請者情報、警備種別、就業形態は、外部の情報処理装置から通信を介して採用者端末１００に送信されるものではなく、記憶部１５に予め記憶されていてもよい。または取得部１０は、採用者端末１００に挿入または接続された記憶媒体から、申請者情報、警備種別、就業形態を取得しても良い。これにより、例えば申請者又は採用担当者が採用者端末１００に対して直接申請者情報等を入力する場合にも、履歴判定システム１０００は上記と同様の処理を行うことができる。
【００５６】
取得部１０は、ディスプレイ３００から申請者情報、警備種別、就業形態等を受信しても良い。この場合、ディスプレイ３００は入力部、送信部、受信部等を有しても良い。ディスプレイ３００は、スマートフォン、携帯電話、タブレット端末等のコンピュータでも良い。
【００５７】
種別所定情報および違反情報は、違反事項を含んでいなくても良い。例えば種別所定情報および違反情報は、「速度超過」「粗暴行為」「信号無視」等の違反事項を含まず、「１回」「２回」といった違反回数を含んでも良い。この場合、判定部１１は違反事項に関係なく、履歴情報が含む違反回数が、種別所定情報が含む違反回数以上か否かを判定しても良い。
【００５８】
また、履歴情報が違反事項を含み、種別所定情報が違反事項を含まなくてもよい。この場合、判定部１１は、履歴情報のいずれか一つが含む違反回数が、種別所定情報が含む違反回数以上か否かを判定しても良い。判定部１１は、複数の履歴情報が含む違反回数の合計が、種別所定情報が含む違反回数以上か否かを判定しても良い。これにより履歴判定システム１０００は、違反事項を特定せず、申請者が何らかの法律等を所定の回数以上違反したことをユーザに示すことができる。
【００５９】
表示制御部１４は、判定部から受け取った判定結果に基づき、「履歴情報は種別所定情報を有する」、「履歴情報は種別所定情報を有しない」、「履歴情報は前科情報を有する」、「履歴情報は前科情報を有しない」等のメッセージを表示部３０に表示させても良い。また、表示制御部１４は、「速度超過の違反あり」、「速度超過の違反なし」、「前科なし」、「前科あり」、等のメッセージを表示部３０に表示させても良い。表示制御部１４は、サーバ２００から取得した違反情報、前歴情報を判定結果として表示部３０に表示させても良い。これにより履歴判定システム１０００は、ユーザに対してより明確に申請者の履歴を表示することができる。
（第二実施形態）
（第二実施形態の構成）
第二実施形態の構成例について説明する。図８は、履歴判定システム１００１の構成例を示した図である。履歴判定システム１００１は、採用者端末１０１が表示制御部１６および判定部１７を有する点で、履歴判定システム１０００と異なる。その余の構成については第一実施形態と同様であるため、適宜説明を省略する。
【００６０】
本実施形態では、記憶部１５が記憶する種別所定情報が図９に示すものであるとする。図９のデータは、警備種別「輸送警備」および就業形態「正社員」に対応付けられた種別所定情報が「速度超過／２回」および「信号無視／１回」である点で図３のデータと異なる。また、図９のデータは、警備種別「輸送警備」および就業形態「派遣社員」に対応付けられた種別所定情報が「速度超過／３回」および「信号無視／２回」である点で図３のデータと異なる。
【００６１】
また、本実施形態では、記憶部２０が記憶する履歴情報が図１０に示すものであるとする。図１０のデータは、氏名「日電  太郎」に対応付けられた履歴情報が「速度超過２回」および「信号無視／３回」である点で図４のデータと異なる。
【００６２】
この場合、判定部１７は、履歴情報として「速度超過／２回」および「信号無視／３回」をサーバ２００から取得する。また、判定部１７は、取得部１０から種別所定情報として「速度超過／３回」「信号無視／２回」を取得する。そして、判定部１７は、種別所定情報に含まれる違反事項のいずれかが、履歴情報に含まれるか否かを判定する。
【００６３】
例えば上述の例では、判定部１７は、種別所定情報に含まれる違反事項「速度超過」、「信号無視」が、履歴情報にも含まれるか否かを判定する。この場合、判定部１７は、違反事項「速度超過」および「信号無視」が共に履歴情報に含まれると判定する。種別所定情報に含まれるいずれの違反事項も履歴情報に含まれない場合、判定部１７は、履歴情報が種別所定情報を有しないと判定する。
【００６４】
判定部１７は、種別所定情報および履歴情報に含まれる違反事項の一つについて、履歴情報が含む違反回数が、種別所定情報が含む違反回数以上であるか否かを判定する。履歴情報が含む違反回数が、種別所定情報が含む違反回数以上であると判定された場合、判定部１７は、履歴情報が種別所定情報を有すると判定する。反対に、履歴情報が含む違反回数が、種別所定情報が含む違反回数以上でないと判定された場合、判定部１７は、種別所定情報および履歴情報に含まれる他の違反事項について、同様の判定を行う。そして、いずれの違反事項についても履歴情報が含む違反回数が、種別所定情報が含む違反回数以上でないと判定された場合、判定部１７は、履歴情報が種別所定情報を有しないと判定する。
【００６５】
前述の例では、判定部１７は、履歴情報が含む速度超過の違反回数「２回」が、種別所定情報が含む速度超過の違反回数「３回」以上でないと判定する。また、判定部１７は、履歴情報が含む信号無視の違反回数「３回」が、種別所定情報が含む信号無視の違反回数「２回」以上であると判定する。したがって、履歴情報が含む速度超過の違反回数が、種別所定情報が含む速度超過の違反回数以上であるため、判定部１７は、履歴情報が種別所定情報を有すると判定する。
【００６６】
なお、判定部１７は、種別所定情報が含む全ての違反事項について、履歴情報が含む違反回数が、種別所定情報が含む違反回数以上である場合に、履歴情報が種別所定情報を有すると判定すると判定しても良い。また、判定部１７は、一の違反事項について、履歴情報が含む違反回数が、種別所定情報が含む違反回数以上であると判定した後は、他の違反事項についての判定をしなくてもよい。
【００６７】
表示制御部１６は、判定部１７の判定結果を受け取る。そして、表示制御部１６は、種別所定情報が含む違反回数以上の違反回数を含むと判定された履歴情報を、判定結果とともに表示部３０に表示させる。また、表示制御部１６は、種別所定情報が含む違反回数以上の違反回数を含むと判定された履歴情報を、種別所定情報が含む違反回数以上の違反回数を含むと判定されなかった履歴情報とは異なる形式で表示部３０に表示させる。形式とは、文字の色、形状、その他のデザイン、動き、点滅の有無等でよい。
【００６８】
つまり、上述の例で表示制御部１６は、判定結果とともに、「信号無視／３回」との履歴情報を「速度超過／２回」との履歴情報とは異なる形式で表示部３０に表示させる。表示部３０の表示例を図１１に示す。図１１では、表示部３０を実現するディスプレイ３００は、判定結果として「問題あり」とのメッセージを表示している。また、ディスプレイ３００は、「信号無視／３回」との履歴情報を、「速度超過／２回」との履歴情報より大きく、太い文字で表示している。また、表示部３０は申請者情報、警備種別、就業形態、を表示している。
【００６９】
なお、履歴情報を表示させる際の形式の違いは、文字の大きさや太さに限られない。例えば表示制御部１６は、表示させる文字の色、形状、その他のデザイン、動き、点滅の有無等を異ならせても良い。
【００７０】
表示制御部１６は、判定結果とともに申請者情報、違反者情報、警備種別、就業形態の少なくともいずれか一つを表示部３０に表示させても良い。表示制御部１４は、これらの情報を取得部１０から取得しても良いし、判定部１７から取得しても良い。
【００７１】
また、第一実施形態と同様、判定結果に応じて表示されるメッセージおよび表示の形式は上述のものに限られない。当該メッセージは、判定結果に対応付けて記憶部１５が予め記憶していても良い。表示制御部１６は、判定部１７から受け取った判定結果に対応するメッセージを記憶部１５から読み出し、読み出したメッセージを、判定結果として表示部３０に表示させても良い。
（第二実施形態の動作）
次に、履歴判定システム１００１の動作について説明する。図１２は、履歴判定システム１００１の動作の一部を説明するシークエンス図である。Ｓ１〜Ｓ５までの動作は第一実施形態と同様であるため、以下にＳ９以降の動作を説明する。
【００７２】
判定部１７は、種別所定情報に含まれる違反事項のいずれかが、履歴情報に含まれるか否かを判定する（Ｓ９）。そして、種別所定情報および履歴情報に含まれる違反事項がある場合、判定部１７は、履歴情報が含む当該違反回数が、種別所定情報が含む違反回数以上となる違反事項があるかを判定する（Ｓ１０）。
【００７３】
Ｓ１０における判定部１７の動作をより具体的に説明する。判定部１７は、種別所定情報および履歴情報に含まれる違反事項の一つについて、履歴情報が含む違反回数が、種別所定情報が含む違反回数以上であるか否かを判定する。履歴情報が含む違反回数が、種別所定情報が含む違反回数以上であると判定された場合、判定部１７は、履歴情報が種別所定情報を有すると判定する。
【００７４】
反対に、履歴情報が含む違反回数が、種別所定情報が含む違反回数以上でないと判定された場合、判定部１７は、種別所定情報および履歴情報に含まれる他の違反事項について、同様の判定を行う。いずれの違反事項についても、履歴情報が含む違反回数が種別所定情報が含む違反回数以上でないと判定された場合、判定部１７は、履歴情報が種別所定情報を有しないと判定する。
【００７５】
なお、判定部１７は、Ｓ９において種別所定情報に含まれるいずれの違反事項も履歴情報に含まれないと判定した場合、Ｓ１０の動作を行わず、履歴情報が種別所定情報を有しないと判定しても良い。
【００７６】
また、判定部１７は、種別所定情報が含む全ての違反事項について、履歴情報が含む違反回数が、種別所定情報が含む違反回数以上である場合に、履歴情報が種別所定情報を有すると判定すると判定しても良い。また、判定部１７は、ある違反事項について、履歴情報が含む違反回数が、種別所定情報が含む違反回数以上であると判定した後は、他の違反事項についての判定をしなくてもよい。
【００７７】
Ｓ７の動作は第一実施形態と同様であるため、説明を省略する。
【００７８】
表示制御部１６は、判定部１７の判定結果を受け取る。そして、表示制御部１６は、種別所定情報が含む違反回数以上の違反回数を含むと判定された履歴情報を、判定結果とともに表示部３０に表示させる（Ｓ１１）。また、表示制御部１６は、種別所定情報が含む違反回数以上の違反回数を含むと判定された履歴情報を、種別所定情報が含む違反回数以上の違反回数を含むと判定されなかった履歴情報とは異なる形式で表示部３０に表示させる。形式とは、文字の色、形状、その他のデザイン、動き、点滅の有無等でよい。
【００７９】
表示制御部１６は、判定結果とともに申請者情報、違反者情報、警備種別、就業形態の少なくともいずれか一つを表示部３０に表示させても良い。表示制御部１４は、これらの情報を取得部１０から取得しても良いし、判定部１７から取得しても良い。
【００８０】
また、第一実施形態と同様、判定結果に応じて表示されるメッセージおよび表示の形式は上述のものに限られない。当該メッセージは、判定結果に対応付けて記憶部１５が予め記憶していても良い。表示制御部１６は、判定部１７から受け取った判定結果に対応するメッセージを記憶部１５から読み出し、読み出したメッセージを、判定結果として表示部３０に表示させても良い。
【００８１】
本実施形態の履歴判定システム１００１は、種別所定情報が含む違反回数以上の違反回数を含むと判定された履歴情報を、当該違反回数以上の違反回数を含むと判定されなかった履歴情報とは異なる形式で表示する。そのため、履歴判定システム１００１のユーザは、法律等に所定の違反回数以上違反した履歴と、所定の違反回数には満たないものの、他の法律等に違反した履歴とを区別して見ることができる。これにより、例えば当該ユーザは、申請者数が採用枠を超えている、業務の重要度が高まった等の事情が生じた場合に、所定の違反回数を超えていない申請者の違反歴も考慮して申請者の採用可否を検討することができる。
（第三実施形態）
（第三実施形態の構成）
第三実施形態の構成例について説明する。図１３は、履歴判定システム１００２の構成例を示した図である。履歴判定システム１００２は、取得部４００と、判定部５００と、表示制御部６００を備える。
【００８２】
取得部４００は、申請者に関する申請者情報と、当該申請者の警備種別を取得する。また、取得部４００は、取得した申請者情報に対応する履歴情報を記憶部から取得する。さらに取得部４００は、取得した警備種別に対応する種別所定情報を記憶部から取得する。
【００８３】
記憶部は、履歴判定システム１００２内に存在しても良いし、履歴判定システム１００２外に存在しても良い。例えば、ＲＡＭ、ＲＯＭ、光学ディスク、磁気ディスク、フラッシュメモリ、ＵＳＢメモリ等が記憶部を実現しても良い。
【００８４】
また、記憶部は単一のハードウェアによって実現されても良いし、複数のハードウェアによって実現されても良い。例えば、履歴情報を記憶する記憶部と、種別所定情報を記憶部は、物理的に異なるハードウェアによって実現されても良い。つまり取得部４００は、履歴情報と種別所定情報とを異なるハードウェアからそれぞれ取得しても良い。
【００８５】
判定部５００は、履歴情報が種別所定情報を有するか否かを判定する。また、判定部５００は、履歴情報が前科情報を有するか否かを判定する。
【００８６】
表示制御部６００は、判定部による判定結果を表示部に表示させる。表示部は、履歴判定システム１００２内に存在しても良いし、履歴判定システム１００２外に存在しても良い。
【００８７】
履歴判定システム１００２は、申請者情報に対応する履歴情報が警備種別に対応する種別所定情報を有するか否かを判定するため、申請者以外から取得される履歴情報を判定することができる。
（ハードウェア構成）
次に、本発明のハードウェア構成例について説明する。図１４乃至図１７は、履歴判定システム１０００乃至１００２のハードウェア構成の一例を示す図である。
【００８８】
図１４は、採用者端末１００または履歴判定システム１００２のハードウェア構成の一例を示した図である。
【００８９】
コンピュータ１００３は、あらゆる一般的なコンピュータで良い。例えば、コンピュータ１００３は、ノートＰＣ、デスクトップＰＣ，サーバ、ワークステーション、ブレードサーバ、などで良い。また、コンピュータ１００３は、サーバや、他のコンピュータ等と通信可能に接続していても良い。
【００９０】
図１４より、コンピュータ１００３は、プロセッサ１４０２、メモリ１４０４、ストレージ１４０６、メモリ１４０４と接続するノースブリッジ１４０８、拡張スロット１４１０を含む。また、コンピュータ１００３はさらに、通信インターフェース１４１４及びストレージ１４０６に接続するサウスブリッジ１４１２を含む。これらの構成要素は、互いにバスによって接続され、マザーボードに固定されている。
【００９１】
プロセッサ１４０２は、メモリ１４０４、ストレージ１４０６等に記憶された命令を読み出して実行する。プロセッサ１４０２は、ディスプレイ３００に映像を表示するために命令を実行してもよい。
【００９２】
プロセッサ１４０２は、メモリ１４０４、ストレージ１４０６に記憶されたプログラムを読み出して実行する。プロセッサ１４０２は、ＣＰＵ（Ｃｅｎｔｒａｌ  Ｐｒｏｃｅｓｓｉｎｇ  Ｕｎｉｔ）、ＡＳＩＣｓ（Ａｐｐｌｉｃａｉｏｎ  Ｓｐｅｃｉｆｉｃ  Ｉｎｔｅｇｒａｔｅｄ  Ｃｉｒｃｕｉｔｓ）等の回路で良い。また、プロセッサ１４０２は、車両情報取得部５００及び照合部２４の機能を実現する。すなわち、プロセッサ１４０２は、メモリ１４０４、ストレージ１４０６に記憶されたプログラムを読み出すことで、取得部４００、判定部５００、表示制御部６００の機能を実現しても良い。プロセッサ１４０２は、取得部１０、判定部１１、表示制御部１４、表示制御部１６の機能を実現しても良い。また、プロセッサ１４０２は、制御部２１の機能を実現しても良い。
【００９３】
メモリ１４０４は、情報を記憶するコンピュータ読み取り可能な記憶媒体である。メモリ１４０４は、ＲＡＭ等の揮発性の記憶媒体でも良いし、ＲＯＭ等の不揮発性の記憶媒体でも良い。また、メモリ１４０４は、光学ディスク、磁気ディスク等でもよい。ストレージ１４０６は、大容量なコンピュータ読み取り可能な記憶媒体で良い。ストレージ１４０６は、例えばフロッピー（登録商標）ディスク、ハードディスクドライブ、光学ディスク、フラッシュメモリ等で良い。コンピュータ読み取り可能な記憶媒体が記憶するコンピュータプログラムが含む命令は、実行されることで上述の実施形態を実現する。メモリ１４０４は、記憶部１５を実現しても良い。メモリ１４０４は、記憶部１５および記憶部２０を実現しても良い。
【００９４】
ノースブリッジ１４０８は、例えばＣＰＵやメモリなどコンピュータの頭脳となる部分をつなぎ、データを転送するタイミングや速度などをコントロールする。ノースブリッジ１４０８は、主に高速に動作する装置との間でデータの橋渡しをする。一方、サウスブリッジ１４１２は、比較的低速な装置との間でデータの橋渡しをする。例えばノースブリッジ１４０８は、メモリ１４０４、表示装置１４、不図示の拡張カードを受け入れ可能な拡張スロット１４１０と接続されていても良い。また、サウスブリッジ１４１２は、ストレージ１４０６、通信インターフェース１４１４と接続されていても良い。
【００９５】
通信インターフェース１４１４は、ＵＳＢ，Ｂｌｕｅｔｏｏｔｈ（登録商標）、Ｅｔｈｅｒｎｅｔ（登録商標）,ｗｉｒｅｌｅｓｓ Ｅｔｈｅｒｎｅｔ等の様々なコミュニケーションポートを含んでも良い。また、これらのコミュニケーションポートは、一つまたは複数の入出力装置、例えばキーボード、ポインティングデバイス、スキャナ、無線ＬＡＮ（Ｌｏｃａｌ  Ａｒｅａ  Ｎｅｔｗｏｒｋ）アダプター、ルーター等の通信機器、と接続されても良い。すなわち、コンピュータ１００３は、通信インターフェース１４１４を介して携帯端末１００４と接続されてもよい。また、通信インターフェース１４１４は、無線ＬＡＮアダプターを含んでいても良い。通信インターフェース１４１４は、受信部１２及び送信部１３の機能を実現しても良い。
【００９６】
ディスプレイ３００は、ＶＧＡ（Ｖｉｄｅｏ Ｇｒａｐｈｉｃｓ Ａｒｒａｙ）ポート、ＨＤＭＩ（登録商標）（Ｈｉｇｈ―Ｄｅｆｉｎｉｔｉｏｎ  Ｍｕｌｔｉｍｅｄｉａ  Ｉｎｔｅｒｆａｃｅ）ポート、ＤＶＩ（Ｄｉｇｉｔａｌ Ｖｉｓｕａｌ Ｉｎｔｅｒｆａｃｅ）ポート等を介してコンピュータ１００３に接続してもよい。ディスプレイ３００は、例えば、ＴＦＴ  ＬＣＤ（Ｔｈｉｎ−ｆｉｌｍ―Ｔｒａｎｓｉｓｔｏｒ Ｌｉｑｕｉｄ Ｃｒｙｓｔａｌ Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ  ）ディスプレイ、その他のディスプレイで良い。ディスプレイ３００は表示部３０を実現しても良い。
【００９７】
図１５は、サーバ２００のハードウェア構成の一例を示した図である。サーバ１００４は、あらゆる一般的なコンピュータで良い。例えば、サーバ１００４は、ノートＰＣ、デスクトップＰＣ，サーバ、ワークステーション、ブレードサーバ、などで良い。また、コンピュータ１００３は、サーバや、他のコンピュータ等と通信可能に接続していても良い。
【００９８】
プロセッサ１４０２は、制御部２１を実現しても良い。メモリ１４０４は、記憶部２０を実現しても良い。通信インターフェースは、受信部２２および送信部２３を実現しても良い。なお、各ハードウェア構成の機能はコンピュータ１００３と同様であるため、説明を省略する。
【００９９】
図１６は、コンピュータ１００のハードウェア構成の他の一例を示した図である。また、図１６は、履歴判定システム１００２のハードウェア構成の他の一例を示した図である。
【０１００】
図１６に示される携帯端末１００４について説明する。携帯端末１００４は、携帯電話、スマートフォン、ＰＤＡ（ｐｅｒｓｏｎａｌ  ｄｉｇｉｔａｌ  ａｓｓｉｓｔａｎｔ）等の携帯端末で良い。
【０１０１】
携帯端末１００４は、ディスプレイ１４５４、トランシーバ１４６８、オーディオコーデック１４６０、コントロールインターフェース１４５８、ディスプレイインターフェース１４５６、を有していても良い。また、携帯端末１００４は、通信インターフェース１４６６、プロセッサ１４５２、ＧＰＳ（Ｇｒｏｂａｌ  Ｐｏｓｉｔｉｏｎｉｎｇ  Ｓｙｓｔｅｍ）受信モジュール１４７０、増設メモリ１４７４、メモリ１４６４、外部インターフェース１４６２をさらに有していても良い。
【０１０２】
ディスプレイ１４５４は、例えば、ＴＦＴ  ＬＣＤ（Ｔｈｉｎ−ｆｉｌｍ―Ｔｒａｎｓｉｓｔｏｒ Ｌｉｑｕｉｄ Ｃｒｙｓｔａｌ Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ  ）ディスプレイ、その他のディスプレイで良い。また、ディスプレイは、コントロールインターフェース１４５８や、ディスプレイインターフェース１４５６と接続されていても良い。プロセッサ１４５２は、コントロールインターフェース１４５８やディスプレイインターフェース１４５６を介して、携帯端末１００４の利用者と情報をやりとりしてもよい。ディスプレイ１４５４は、表示部１３の機能を実現する。また、ディスプレイ１４５４は、表示部３０の機能を実現しても良い。
【０１０３】
ディスプレイインターフェース１４５６は回路によって構成されても良い。ディスプレイインターフェース１４５６は、映像や他の情報を利用者に表示するためにディスプレイを制御する。ディスプレイインターフェース１４５６は表示制御部６００の機能を実現する。また、ディスプレイインターフェース１４５６は、表示制御部１２の機能を実現しても良い。
【０１０４】
コントロールインターフェース１４５８は利用者からのコマンドを受け取る。そして、コントロールインターフェース１４５８は、受け取ったコマンドをプロセッサ１４５２に送信するために変換しても良い。
【０１０５】
また、携帯端末１００４は、外部装置とプロセッサ１４０２との通信を可能にする外部インターフェース１４６２を有していても良い。外部インターフェース１４６２は、有線通信又は無線通信を携帯端末１００４に提供しても良い。
【０１０６】
増設メモリ１４７４は、増設インターフェース１４７２を介して携帯端末１００４に接続する。また、増設メモリ１４７４は、例えばＳＩＭＭ（Ｓｉｎｇｌｅ  Ｉｎ  Ｌｉｎｅ  Ｍｅｍｏｒｙ  Ｍｏｄｕｌｅ）カードインターフェースを含んでいても良い。また、増設メモリ１４７４は、携帯端末１００４に追加の記憶領域を与え、アプリケーションやその他の情報を記憶しても良い。さらに、増設メモリ１４７４は、セキュリティに関する情報を記憶していても良い。増設メモリ１４７４は、携帯端末１００４のセキュリティ管理機器として機能してもよい。例えば増設メモリ１４７４には、携帯端末１００４の安全な利用を実現する命令がプログラムされている。
【０１０７】
携帯端末１００４は、通信インターフェース１４６６を介して無線通信を行う。つまり携帯端末１００４は、通信インターフェース１４６６を介してコンピュータ１００３と通信しても良い。通信インターフェース１４６６は、送信部１２および受信部１３の機能を実現しても良い。
【０１０８】
通信インターフェース１４６６は、デジタル信号処理回路を含んでも良い。通信インターフェース１４６６は、ＧＭＳ（Ｇｌｏｂａｌ  Ｓｙｓｔｅｍ  ｆｏｒ  Ｍｏｂｉｌｅ  Ｃｏｍｍｕｎｉｃａｔｉｏｎ）、ＳＭＳ（Ｓｈｏｒｔ  Ｍｅｓｓａｇｅ  Ｓｅｒｖｉｃｅ），ＥＭＳ（Ｅｎｈａｎｃｅｄ  Ｍｅｓｓａｇｉｎｇ  Ｓｅｒｖｉｃｅ）等のモード、プロトコルの下で通信を実現しても良い。または、通信インターフェース１４６６は、ＭＭＳ（Ｍｕｌｔｉｍｅｄｉａ  Ｍｅｓｓａｇｉｎｇ  Ｓｅｒｖｉｃｅ），ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（ｔｉｍｅ  ｄｉｖｉｓｉｏｎ  ｍｕｌｔｉｐｌｅ  ａｃｃｅｓｓ）等のモード、プロトコルの下で通信を実現しても良い。
【０１０９】
さらに、通信インターフェース１４６６は、ＰＤＣ（Ｐｅｒｓｏｎａｌ  Ｄｉｇｉｔａｌ  Ｃｅｌｌｕｌａｒ），ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＧＰＲＳ（Ｇｅｎｅｒａｌ ｐａｃｋｅｔ ｒａｄｉｏ ｓｅｒｖｉｃｅ）等のモード、プロトコルの下で通信を実現しても良い。上述の通信は、例えばトランシーバ１４６８を介して発生する。また、狭域の通信、例えばＢｌｕｅｔｏｏｔｈ，Ｗｉ−Ｆｉ（登録商標）等を利用した通信も、トランシーバ１４６８を介して発生しても良い。
【０１１０】
ＧＰＳ受信モジュール１４７０は、携帯端末１００４で動作するアプリケーションで利用されるデータを提供しても良い。当該データは、例えば位置やナビゲーションに関連したデータで良い。
【０１１１】
また、携帯端末１００４は、オーディオコーデック１４６０を介して音声通信を行っても良い。オーディオコーデック１４６０は、利用者から音声情報を取得し、それをデジタル情報として利用可能に変換する。さらに、オーディオコーデック１４６０は利用者が聞き取り可能な音声を生成する。オーディオコーデック１４６０が扱う情報は、音声通話、録音された音（ボイスメッセージ、音楽ファイルなど）、携帯端末１００４上のアプリケーションが生成した音、等でも良い。
【０１１２】
プロセッサ１４５２、及びメモリ１４６４については、コンピュータ１００３と同様であるため説明を省略する。プロセッサ１４５２は、取得部４００、判定部５００、表示制御部６００の機能を実現しても良い。プロセッサ１４５２は、取得部１０、判定部１１、表示制御部１４、表示制御部１６の機能を実現しても良い。また、メモリ１４６４は、記憶部１５の機能を実現しても良い。メモリ１４６４は、記憶部１５および記憶部２０の機能を実現しても良い。
【０１１３】
図１７は、サーバ２００のハードウェア構成の他の一例を示した図である。
【０１１４】
図１７に示される携帯端末１００６は、携帯電話、スマートフォン、ＰＤＡ（ｐｅｒｓｏｎａｌ  ｄｉｇｉｔａｌ  ａｓｓｉｓｔａｎｔ）等の携帯端末で良い。
【０１１５】
プロセッサ１４５２は、制御部２１を実現しても良い。メモリ１４６４は、記憶部２０を実現しても良い。通信インターフェース１４６６は、受信部２２および送信部２３を実現しても良い。
【０１１６】
なお、各ハードウェア構成の機能は携帯端末１００５と同様であるため、説明を省略する。
【０１１７】
履歴判定システム１０００乃至１００２は、コンピュータ１００３、サーバ１００４、携帯端末１００５、携帯端末１００６のいずれか一つによって実現されても良い。
【０１１８】
上述した各実施形態は本発明を具体化した一例に過ぎず、請求の範囲に記載された本発明の趣旨の範囲内であれば、種々変更することができるものである。また、各実施形態に記載された構成は、任意に組み合わせることができるものである。
【符号の説明】
【０１１９】
１０    取得部
１１    判定部
１２    受信部
１３    送信部
１４    表示制御部
１５    記憶部
１６    表示制御部
１７    判定部
２０    記憶部
２１    制御部
２２    受信部
２３    送信部
３０    表示部
１００    採用者端末
１０１    採用者端末
２００    サーバ
３００    ディスプレイ
４００    取得部
５００    判定部
６００    表示制御部
１０００    履歴判定システム
１００１    履歴判定システム
１００２    履歴判定システム
１００３    コンピュータ
１００４    サーバ
１００５    携帯端末
１００６    携帯端末
１４０２    プロセッサ
１４０４    メモリ
１４０６    ストレージ
１４０８    ノースブリッジ
１４１０    拡張スロット
１４１２    サウスブリッジ
１４１４    通信インターフェース
１４５２    プロセッサ
１４５４    ディスプレイ
１４５６    ディスプレイインターフェース
１４５８    コントロールインターフェース
１４６０    オーディオコーデック
１４６６    通信インターフェース
１４６８    トランシーバ
１４６２    外部インターフェース
１４６４    メモリ
１４７０    ＧＰＳ受信モジュール
１４７２    増設インターフェース
１４７４    増設メモリ
【図１】
0006696218.tif 000002
【図２】
0006696218.tif 000003
【図３】
0006696218.tif 000004
【図４】
0006696218.tif 000005
【図５】
0006696218.tif 000006
【図６】
0006696218.tif 000007
【図７】
0006696218.tif 000008
【図８】
0006696218.tif 000009
【図９】
0006696218.tif 000010
【図１０】
0006696218.tif 000011
【図１１】
0006696218.tif 000012
【図１２】
0006696218.tif 000013
【図１３】
0006696218.tif 000014
【図１４】
0006696218.tif 000015
【図１５】
0006696218.tif 000016
【図１６】
0006696218.tif 000017
【図１７】
0006696218.tif 000018